(57)【要約】【課題】げっ歯目の動物等による咬害対象となる伝送路への施工作業が容易で、かつ、施工作業にかかる費用を抑制することが可能な伝送路の防護装置を提供する。【解決手段】本発明の第１の実施形態にかかる伝送路の防護装置１０は、伝送路５０に連続的に配置された複数の回転体２０と、複数の回転体２０からなる集合体の伝送路５０の長手方向の位置が略一定となるように、該集合体の両端の伝送路５０に配置されたストッパ４０と、を備えている。回転体２０は、外形形状が略球形状で、伝送路５０を通すための伝送路通過孔２１が設けられている。伝送路通過孔２１は、伝送路通過孔２１の中心線が球形状の中心線となり、かつ、開口部２２の径が伝送路５０の径よりもわずかに大きく、かつ、伝送路通過孔２１の内部空間の径が開口部２２の径以上となるように形成されている。【選択図】図１
2012120282.tif 000002
【特許請求の範囲】
【請求項１】
伝送路を通すための伝送路通過孔が設けられ、前記伝送路通過孔を介して、前記伝送路に連続的に配置された複数の回転体と、
前記複数の回転体からなる集合体の前記伝送路における長手方向の位置が略一定となるように、前記集合体の両端の前記伝送路に設けられたストッパと、
を備え、
前記回転体は、前記伝送路と接触する前記伝送路通過孔の接触部が面取りされており、当該回転体の前記伝送路通過孔は、開口部の径が前記伝送路の径よりもわずかに大きく、かつ、当該伝送路通過孔の内部空間の径が前記開口部の径以上となるように形成され、更に、当該伝送路通過孔の中心線が前記回転体の略回転軸となるように形成されていることを特徴とする伝送路の防護装置。
【請求項２】
隣り合う前記回転体の間及び前記回転体と前記ストッパとの間の前記伝送路に、前記回転体の回転による隣り合う前記回転体の間及び／または前記回転体と前記ストッパとの間の摺動摩擦を低減させる摩擦緩和部材が設けられていることを特徴とする請求項１に記載の伝送路の防護装置。
【請求項３】
前記回転体は、内部に広い空間を有した殻部材からなる殻構造で、前記広い空間が前記伝送路通過孔の内部空間になることを特徴とする請求項１または２に記載の伝送路の防護装置。
【請求項４】
前記回転体は、前記伝送路通過孔の中心線方向の略中心に対応する位置の前記殻部材の内壁の内周上に、内周円の中心方向に凸の補強部材が、前記殻部材と一体に設けられていることを特徴とする請求項３に記載の伝送路の防護装置。
【請求項５】
前記回転体は、凹部と凸部とからなる嵌合部が設けられた半割れ構造を有していることを特徴とする請求項１乃至４のいずれか１項に記載の伝送路の防護装置。
【請求項６】
前記回転体は、回転軸に対して垂直な当該回転体の最大外周円の直径が、当該回転体の回転軸方向の厚さ以上であることを特徴とする請求項１乃至５に記載の伝送路の防護装置。
【発明の詳細な説明】
【技術分野】
【０００１】
本発明は、伝送路の防護装置に関する。特に、リス、鼠等のげっ歯目の動物等による咬害から伝送路を防護するための伝送路の防護装置に関する。
【背景技術】
【０００２】
従来、リス、鼠等のげっ歯目の動物等が、情報や電力等の伝送のために使用される電線、光ファイバ等の伝送路を伝って場所を移動する際、げっ歯目の動物等による咬害によって伝送路が破損し、漏電、断線等の不具合が発生するという深刻な問題があり、その咬害対策として、様々な伝送路や伝送路の布設方法が提案されている。
【０００３】
例えば、特許文献１では、導体の外周に絶縁層を設けた導体心線の外側に、カプサイシンを含有する防鼠層とその上に形成された０．２〜０．５ｍｍの防鼠剤を含有しない外傷保護層と、からなるプラスチックシースを設けた防鼠ケーブルが提案されている。また、特許文献２では、管壁が防鼠剤を含有する合成樹脂で構成されている防鼠性合成樹脂製ケーブル保護管を布設し、このケーブル保護管の中のケーブルを布設するケーブル布設方法が提案されている。
【先行技術文献】
【特許文献】
【０００４】
【特許文献１】特開平１０−２２３０５８号公報
【特許文献２】特開２００２−２７１９３４号公報
【発明の概要】
【発明が解決しようとする課題】
【０００５】
しかしながら、特許文献１に提案された防鼠ケーブルを使用する場合には、既に布設されているケーブルと防鼠ケーブルとを交換するために、全長にわたってケーブルの布設作業を再度実施しなければならない。また、特許文献２に提案された布設方法を使用する場合には、新たに防鼠性合成樹脂製ケーブル保護管を布設し、更にそのケーブル保護管の中にケーブルを布設する作業を、ケーブルの全長にわたって実施しなければならない。そのため、上述した従来の提案では、咬害対策の施工作業費用が膨大にかかってしまうという問題があった。
【０００６】
そこで、本発明は、以上のような問題点を解決するためになされたもので、げっ歯目の動物等による咬害対象となる伝送路への施工作業が容易で、かつ、施工作業にかかる費用を抑制することが可能な伝送路の防護装置を提供することを目的とする。
【課題を解決するための手段】
【０００７】
上述した従来の問題点を解決すべく下記の発明を提供する。
本発明の第１の態様にかかる伝送路の防護装置は、伝送路を通すための伝送路通過孔が設けられ、前記伝送路通過孔を介して、前記伝送路に連続的に配置された複数の回転体と、前記複数の回転体からなる集合体の前記伝送路における長手方向の位置が略一定となるように、前記集合体の両端の前記伝送路に設けられたストッパと、を備え、前記回転体は、前記伝送路と接触する前記伝送路通過孔の接触部が面取りされており、当該回転体の前記伝送路通過孔は、開口部の径が前記伝送路の径よりもわずかに大きく、かつ、当該伝送路通過孔の内部空間の径が前記開口部の径以上となるように形成され、更に、当該伝送路通過孔の中心線が前記回転体の略回転軸となるように形成されていることを特徴とする。
【０００８】
これにより、げっ歯目の動物等の移動対象物が伝送路を伝って移動しようとする際に、伝送路に設けられた回転体に移動対象物が体重をかけたとき、伝送路の周りを各回転体が独立に回転して移動対象物の移動を阻止することができる。従って、伝送路を伝って移動する際に発生していた移動対象物の咬害による伝送路の破損を防止することができる。また、開口部を小さくすることで伝送路通過孔への移動対象物の侵入を抑制することができる。
【０００９】
本発明の第２の態様にかかる伝送路の防護装置は、上記の本発明の第１の態様にかかる伝送路の防護装置において、隣り合う前記回転体の間及び前記回転体と前記ストッパとの間の前記伝送路に、前記回転体の回転による隣り合う前記回転体の間及び／または前記回転体と前記ストッパとの間の摺動摩擦を低減させる摩擦緩和部材が設けられていることを特徴とする。
【００１０】
これにより、伝送路に設けられた回転体に移動対象物が体重をかけたとき、回転体にかかる移動対象物が体重バランスのわずかなズレによって回転体が容易に回転し、移動対象物の移動阻止を向上させることができる。
【００１１】
本発明の第３の態様にかかる伝送路の防護装置は、上記の本発明の第１または２の態様にかかる伝送路の防護装置において、前記回転体は、内部に広い空間を有した殻部材からなる殻構造で、前記広い空間が前記伝送路通過孔の内部空間になることを特徴とする。
【００１２】
これにより、回転体が軽量になり、軽量な移動対象物であっても回転体が容易に回転するようになり、移動対象物の移動阻止を向上させることができる。また、伝送路にかかる負荷を軽減させることができる。
【００１３】
本発明の第４の態様にかかる伝送路の防護装置は、上記の本発明の第４の態様にかかる伝送路の防護装置において、前記回転体は、前記伝送路通過孔の中心線方向の略中心に対応する位置の前記殻部材の内壁の内周上に、内周円の中心方向に凸の補強部材が、前記殻部材と一体に設けられていることを特徴とする。
これにより、殻構造の回転体を補強部材によって補強することができる。
【００１４】
本発明の第５の態様にかかる伝送路の防護装置は、上記の本発明の第１乃至４のいずれか１つの態様にかかる伝送路の防護装置において、前記回転体は、凹部と凸部とからなる嵌合部が設けられた半割れ構造を有していることを特徴とする。
【００１５】
これにより、容易に防護装置を伝送路に取り付ける施工作業を行うことができる。また、新しく伝送路を布設し直すことなく、既に布設されている伝送路のままで、防護装置を伝送路に取り付ける施工作業を行うことができる。従って、防護装置を伝送路に取り付ける施工作業にかかる費用を抑制することができる。
【００１６】
本発明の第６の態様にかかる伝送路の防護装置は、上記の本発明の第１乃至５のいずれか１つの態様にかかる伝送路の防護装置において、回転軸に対して垂直な当該回転体の最大外周円の直径が、当該回転体の回転軸方向の厚さ以上であることを特徴とする。
【００１７】
これにより、回転体は、回転軸方向が扁平した形状（例えば、円盤状）となり、更に回転し易くなり、移動対象物の移動阻止を向上させることができる。
【発明の効果】
【００１８】
本発明によれば、げっ歯目の動物等の移動対象物が伝送路を伝って移動しようとする際に、伝送路に設けられた回転体に移動対象物が体重をかけたとき、伝送路の周りを各回転体が独立に回転して移動対象物の移動を阻止することができる。従って、伝送路を伝って移動する際に発生していた移動対象物の咬害による伝送路の破損を防止することができる。また、開口部を小さくすることで伝送路通過孔への移動対象物の侵入を抑制することができる。
【００１９】
また、緩和部材により、回転体に移動対象物の体重がかかったとき回転体の回転を回転し易くすることができる。また、回転体を殻構造にして軽量化することにより、回転体に軽量な移動対象物の体重がかかったときでも回転体の回転を回転し易くすることができる。
【００２０】
また、回転体を凹部と凸部とからなる嵌合部が設けられた半割れ構造にすることにより、容易に防護装置を伝送路に取り付ける施工作業を行うことができる。また、新しく伝送路を布設し直すことなく、既に布設されている伝送路のままで、容易に防護装置を伝送路に取り付ける施工作業を行うことができる。従って、防護装置を伝送路に取り付ける施工作業にかかる費用を抑制することができる。
【図面の簡単な説明】
【００２１】
【図１】本発明の第１の実施形態にかかる伝送路の防護装置１０の一例を模式的に示した斜視図である。
【図２】回転体２０の一例を模式的に示した斜視図である。
【図３】凹部と凸部とからなる嵌合部が設けられた半割れ構造を有する回転体２０の一例を説明するための図である。
【図４】（ａ）は、ストッパ４０の本体部４１の一例を模式的に示した斜視図であり、（ｂ）は、ストッパ４０の本体部４１の伝送路５０の長手方向からの平面図である。
【図５】本発明の第２の実施形態にかかる伝送路の防護装置１００の一例を模式的に示した斜視図である。
【発明を実施するための形態】
【００２２】
以下に本発明の実施の形態を図面に基づいて詳細に説明する。尚、本実施の形態における記述は、本発明にかかる伝送路の防護装置の一例を示すものであり、これに限定されるものではない。本実施の形態における伝送路の防護装置の細部構成等に関しては、本発明の趣旨を逸脱しない範囲で適宜変更可能である。
【００２３】
まず、本発明の第１の実施形態にかかる伝送路の防護装置について説明する。図１は、本発明の第１の実施形態にかかる伝送路の防護装置１０の一例を模式的に示した斜視図である。図１に示すように、本発明の第１の実施形態にかかる伝送路の防護装置１０は、伝送路５０に連続的に配置された複数の回転体２０と、複数の回転体２０からなる集合体の伝送路５０の長手方向の位置が略一定となるように、該集合体の両端の伝送路５０に配置されたストッパ４０と、を備えている。
【００２４】
次に、伝送路の防護装置１０を構成する回転体２０について説明する。
回転体２０は、げっ歯目の動物等の移動対象物が伝送路５０に配置された回転体２０に体重をかけたときに、回転体２０が伝送路５０の周りを回転して、移動対象物の移動を阻止するためのものである。図２は、回転体２０の一例を模式的に示した斜視図である。
【００２５】
図２に示すように、回転体２０は、外形形状が略球形状で、伝送路５０を通すための伝送路通過孔２１が設けられている。回転体２０は、伝送路通過孔２１に伝送路５０を通すことにより、伝送路５０に連続的に配置され、更に、伝送路通過孔２１の中心線が概ね回転軸となるように伝送路５０の周りを回転する構造となっている。そのため、伝送路通過孔２１は、伝送路通過孔２１の中心線が球形状の中心線となり、かつ、開口部２２の径が伝送路５０の径よりもわずかに大きく、かつ、伝送路通過孔２１の内部空間の径が開口部２２の径以上となるように形成されている。また、開口部２２を小さくすることで、伝送路通過孔２１への移動対象物の侵入を抑制することができる。
【００２６】
また、回転体２０は、外形形状を球形状とすることで、回転体２０の重心が回転体２０の略中心部となるとともに、伝送路通過孔２１の中心線方向（Ｚ方向）に対して垂直な平面による断面の外形が円形で、かつ、伝送路通過孔２１の中心線方向に平坦な表面部分が無い形状となり、移動対象物が伝送路５０に配置された回転体２０に体重をかけたときに、回転体２０に加わるわずかな荷重で簡単に回転体２０が伝送路５０の周りを回転できる形状になっている。ここで、回転体２０の中心部とは、伝送路通過孔２１の中心線方向の回転体２０の中心位置で、かつ、中心線方向に対して垂直な外周円の中心のことであり、回転体２０が球形状の場合は、球中心である。
【００２７】
尚、本実施例では、回転体２０の外形形状は、略球形状であるが、これに限らず、伝送路通過孔２１の中心線方向に対して垂直な平面による断面の外形が円形で、かつ、回転体２０の重心が回転体２０の略中心部となるような形状であって、回転体２０が伝送路５０の周りを回転し易い形状であれば良い。これにより、回転体２０に加わるわずかな荷重で簡単に回転体２０が伝送路５０の周りを回転できる。例えば、図２に示した球形状や、そろばん球形状（図５参照）等が挙げられる。特に、回転体２０の外形形状は、回転軸に対して垂直な回転体２０の最大外周円の直径が、回転体２０の回転軸方向（伝送路通過孔２１の中心線方向）の厚さ以上であることが望ましい。これにより、回転体２０は、回転軸方向が扁平した形状（例えば、円盤状）となり、更に回転し易くなる。
【００２８】
回転体２０において、回転体２０が伝送路５０の周りを回転する際に伝送路５０に接触する部分となる伝送路通過孔２１の接触部２３は、面取り加工が施されている。これは、伝送路５０と回転体２０との摺動摩擦を小さく抑え、回転体２０を回転し易くさせるためである。尚、接触部２３は、伝送路通過孔２１の開口部２２の近傍だけでなく、伝送路５０に接触する回転体２０の内部の伝送路通過孔２１の壁面も含む。また、回転体２０が回転し易くなるように、伝送路通過孔２１の接触部２３の摩擦係数を、回転体２０の外表面の摩擦係数よりも小さくすることが望ましい。具体的には、伝送路通過孔２１の接触部２３の表面に摩擦係数の小さいロウ等を塗布することにより実現することができる。
【００２９】
回転体２０の外径は、移動対象物によって回転体２０に加わるわずかな荷重で簡単に回転体２０が回転する大きさが好ましく、特に８ｃｍ程度が好ましい。また、図１に示したように、伝送路５０の長手方向に連続的に配置された複数の回転体２０からなる集合体の全長Ｗは、移動対象物の大きさ等を考慮した長さにすることが好ましく、少なくとも３０ｃｍ以上となるようにすることが好ましい。
【００３０】
また、移動対象物がリスや鼠等の体重の比較的軽い動物であることや、伝送路５０に取り付けたとき伝送路５０への負荷を軽減させることから、回転体２０は、軽量でありことが望ましい。そのため、回転体２０の材料は、軽量な材料であるプラスチック材等が望ましい。また、回転体２０の伝送路通過孔２１となる回転体２０の内部の空間は広い方が望ましく、図２に示した回転体２０は、ピンポン玉のように内部に広い空間を有した殻部材からなる殻構造になっている。このとき、この広い空間が送路通過孔２１の内部空間となる。
【００３１】
また、回転体２０は、回転体２０の伝送路５０への取り付け作業（施工作業）が容易で、既に布設されている伝送路５０を布設し直すことなく取り付け作業（施工作業）が実施できるような構造が望ましく、図２に示した回転体２０は、凹部と凸部とからなる嵌合部が設けられた半割れ構造になっている。
【００３２】
図３は、凹部と凸部とからなる嵌合部が設けられた半割れ構造を有する回転体２０の一例を説明するための図である。図３に示すように、回転体２０は、伝送路通過孔２１の中心線を含む平面で２つに分割された略半球状の厚みが略一定の殻部材である分割部材２４ａ及び２４ｂを備え、分割部材２４ａ及び２４ｂの分割面同士を組み合わせると略球形状を形成する。
【００３３】
また、回転体２０は、分割部材２４ａ及び２４ｂの分割外周端近傍で、かつ、孔２１の中心線方向（Ｚ方向）の略中心に対応する位置にヒンジ２５が設けられ、該ヒンジ２５によって、分割部材２４ａ及び２４ｂが回動自在に支持されるとともに、分割部材２４ａ及び２４ｂの分割面を一致させて球形状の回転体２０を形成するように連結された半割れ構造を有している。
【００３４】
また、分割部材２４ａには、分割部材２４ａの分割外周端近傍で、かつ、伝送路通過孔２１の中心線に対してヒンジ２５と略線対称となる位置に、分割部材２４ａと一体となるように凸部２６ａが設けられ、分割部材２４ｂには、分割部材２４ｂの分割外周端近傍で、かつ、孔２１の中心線に対してヒンジ２５と略線対称となる位置に、分割部材２４ｂと一体となるように凹部２６ｂが設けられている。分割部材２４ａの凸部２６ａと分割部材２４ｂの凹部２６ｂとが嵌合されるスナップフィット構造（嵌合部）となっており、伝送路５０を伝送路通過孔２１に合わせて、分割部材２４ａの凸部２６ａを分割部材２４ｂの凹部２６ｂに嵌合させることによって、球形状の伝送路通過孔２１に伝送路５０が通った状態の回転体２０を形成する。
【００３５】
尚、図３（ａ）及び（ｂ）に示した回転体２０では、分割部材２４ａ及び２４ｂを１つのヒンジ２５と１組のスナップフィット構造で、球形状に組み合わせているが、これに限らず、例えば、ヒンジ２５の位置に別なもう１組のスナップフィット構造を設け、２組のスナップフィット構造で、分割部材２４ａ及び２４ｂを球形状に組み合わせる構成にしても良い。また、図３（ａ）及び（ｂ）に示した回転体２０では、半割れ構造で２つの分割部材を組み合わせる構成であったが、３つ以上の分割部材を組み合わせる構成であっても良い。
【００３６】
また、分割部材２４ａ及び２４ｂには、伝送路通過孔２１の中心線方向（Ｚ方向）の略中心に対応する位置の内壁の内周上に、内周円の中心方向に凸の面取り加工が施された補強部材２７ａ及び２７ｂが、それぞれ分割部材２４ａ及び２４ｂと一体となるように設けられている。補強部材２７ａ及び２７ｂによって、内部に広い空間を有した殻構造の回転体２０の強度を向上させることができる。
【００３７】
上述したように、本実施形態の回転体２０を、分割部材２４ａの凸部２６ａと分割部材２４ｂの凹部２６ｂとかなる嵌合部（スナップフィット構造）が設けられた半割れ構造とすることによって、簡単に伝送路５０に取り付けることができる。また、新しく伝送路５０を布設し直すこと無く、既に布設されている伝送路５０に対して簡単に回転体２０を取り付けることができる。従って、作業効率が向上するとともに材料費を抑制することができる。即ち、布設作業にかかる費用を安価に抑えることができる。また、回転体２０を殻構造にすることによって、回転体２０の軽量化を図ることができ、それによって、回転体２０を回転し易くさせるとともに、伝送路５０への負荷を軽減させることができる。
【００３８】
次に、伝送路の防護装置１０を構成するストッパ４０について説明する。
ストッパ４０は、伝送路５０に連続的に配置された複数の回転体２０からなる集合体の伝送路５０の長手方向の位置を略一定に保つためのもの、即ち、各回転体２０が伝送路５０の長手方向に大きく移動しないようにするためのものである。
【００３９】
図１に示したように、ストッパ４０は、複数の回転体２０からなる集合体の両端の伝送路５０に配置されて集合体の位置（伝送路５０の長手方向の位置）を略一定にするための本体部４１と、本体部４１を伝送路５０に固定するための結束バンド部４８と、から構成されている。
【００４０】
図４は、ストッパ４０の本体部４１を説明するための図で、図４（ａ）は、ストッパ４０の本体部４１の一例を模式的に示した斜視図であり、図４（ｂ）は、ストッパ４０の本体部４１の伝送路５０の長手方向からの平面図である。図４（ａ）及び（ｂ）に示すように、本体部４１は、円柱状の胴体部４２と円形板状の平面部４３とから構成され、円柱状の胴体部４２の一方の底面と平面部４３の一方の面とが接するように一体化して形成されている。本体部４１には、胴体部４２の長手方向（Ｚ方向）に貫通した円柱状の貫通孔４４と、胴体部４２の長手方向に垂直な一方向の表面が開口した貫通孔４４に達する胴体部４２の長手方向に平行なスリット４５と、が設けられている。
【００４１】
本体部４１は、弾性を有する材料で形成されており、貫通孔４４の径は伝送路５０の外径と同じか、わずかに小さい径となるように形成されている。スリット幅方向（Ｘ方向）にスリット４５を押し広げながら伝送路５０を貫通孔４４に嵌合させることにより本体部４１を伝送路５０に配置する。本体部４１の材料は、上述したように弾性を有する材料であれば良いが、伝送路５０への負荷を軽減するために軽量な材料（例えば、プラスチック材等）が望ましい。
【００４２】
ストッパ４０の結束バンド部４８は、本体部４１の胴体部４２を周方向に結束して、本体部４１を伝送路５０に固定する結束バンド（ケーブルタイ）である。例えば、電子機器のケーブル等を結束する結束バンド（ケーブルタイ）等である。
【００４３】
上述したように、本発明の第１の実施形態にかかる伝送路の防護装置１０では、ストッパ４０は本体部４１と結束バンド部４８とから構成されているが、これに限らず、伝送路５０に連続的に配置された複数の回転体２０からなる集合体の伝送路５０の長手方向の位置を略一定に保つことが可能な構成であれば良い。
【００４４】
次に、本発明の第２の実施形態にかかる伝送路の防護装置について説明する。図５は、本発明の第２の実施形態にかかる伝送路の防護装置１００の一例を模式的に示した斜視図である。
【００４５】
図１に示した本発明の第１の実施形態にかかる伝送路の防護装置１０と、図５に示した本発明の第２の実施形態にかかる伝送路の防護装置１００との相違点は、隣り合う回転体２０の間の伝送路５０、及び、回転体２０とストッパ４０との間の伝送路５０に、回転体２０の回転による隣り合う回転体２０の間の摺動摩擦及び／または回転体２０とストッパ４０との間の摺動摩擦を低減させる摩擦緩和部材１１０が設けられている点である。摩擦緩和部材１１０は、例えば、ベアリングや、回転体２０との摩擦係数が小さくなるような表面加工が施された軽量な円盤状の部材である。
【００４６】
尚、図５に示した本発明の第２の実施形態にかかる伝送路の防護装置１００の回転体２０ａの形状は、略そろばん球形状であるが、図１に示した略球形状の回転体２０であっても良い。
【００４７】
伝送路の防護装置１００に摩擦緩和部材１１０を設けることにより、回転体２０に加わるわずかな荷重で、より簡単に各回転体２０が伝送路５０の周りを回転できるようになり、伝送路５０を伝って移動する移動対象物の移動阻止を向上させることができる。
【符号の説明】
【００４８】
１０，１００  ：  防護装置
２０，２０ａ  ：  回転体
２１  ：  伝送路通過孔
２２  ：  開口部
２３  ：  接触部
２４ａ、２４ｂ  ：  分割部材
２５  ：  ヒンジ
２６ａ  ：  凸部
２６ｂ  ：  凹部
２７ａ、２７ｂ  ：  補強部材
４０  ：  ストッパ
４１  ：  本体部
４２  ：  胴体部
４３  ：  平面部
４４  ：  貫通孔
４５  ：  スリット
４８  ：  結束バンド部
５０  ：  伝送路
１１０  ：  摩擦緩和部材
【図１】
2012120282.tif 000003
【図２】
2012120282.tif 000004
【図３】
2012120282.tif 000005
【図４】
2012120282.tif 000006
【図５】
2012120282.tif 000007